(57)【要約】      （修正有）【課題】椅子やテーブル等の家具の脚部下端に装着することで、これらの椅子等を移動させたときに生じる衝撃音を吸収して階下等への騒音を防止し、しかも全体に薄く形成することが可能で脚部への装着が容易な家具の脚部用防音具を提供する。【解決手段】内部に複数の弾性の突起２を有する合成ゴム製の受皿体１を設ける。該受皿体１はエラストマーゴムで形成され、内部に低反発性ゴムで形成された突起２を設ける。該突起２上に支持され、上下二層の発泡材からなる防音層３を設ける。受皿体１の内周に係止突条５を設け、該係止突条５で防音層３を係止する。該防音層３は、受皿体１の開口上部よりも盛り上がるように設けられる。防音層３の上面に設けられた接着層４は、該防音層３が脚部Ｐによって押圧されたときに受皿体１の内部に収納されるように設ける。【選択図】図２
0003135746.tif 000002
【実用新案登録請求の範囲】
【請求項１】
家具等の脚部下端面に接着し家具等の移動により生じる衝撃音を吸収するように設けられた脚部用防音具において、内部に複数の弾性の突起を有する合成ゴム製の受皿体と、該受皿体の内部に収納され前記突起上に支持された発泡材からなる防音層と、該防音層の上面に設けられた接着層とで構成されたことを特徴とする家具の脚部用防音具。
【請求項２】
前記防音層は、上下二層の発泡材からなり、前記受皿体１の内周に設けた係止突条で該防音層を係止するように設けると共に、上部の防音層は、前記受皿体の開口上部よりも盛り上がるように設けられ、該防音層の上面に設けられた前記接着層は、該防音層が脚部によって押圧されたときに上部の防音層と共に受皿体の内部に収納されるように設けた請求項１記載の脚部用防音具。
【請求項３】
前記受皿体はエラストマーゴムで形成され、前記突起は低反発性ゴムで形成された請求項１又は２記載の脚部用防音具。
【請求項４】
前記受皿体は、床面に接触する表面にフッ素コーティング層が施された請求項１乃至３いずれか記載の脚部用防音具。
【考案の詳細な説明】
【技術分野】
【０００１】
本考案は、主に椅子やテーブル等の家具の脚部下端に装着することで、これらの椅子等を移動させたときに生じる衝撃音を吸収し、階下等への騒音を防止する家具の脚部用防音具に関するものである。
【背景技術】
【０００２】
従来、家具の脚部に装着する部材として、例えば、特許文献１に示されるような家具類等の脚部端面支持構造が提案されている。この構造によると、パイプの端部とこの端部を支持する弾性支持部材との間に緩衝材を介在させたもので、家具類を安定的に支持しようとするものである。
【特許文献１】実用新案登録第３０７７２０５号公報
【考案の開示】
【考案が解決しようとする課題】
【０００３】
特許文献１に記載の支持構造では、緩衝材をパイプ材の内部に挿入する必要があるので、この支持構造が適用される家具は、脚部がパイプ材で形成されている家具に限られパイプ材以外の脚部に装着することは困難である。したがって、特許文献１の支持構造では、装着可能な家具が限定される不都合があった。
【０００４】
しかも、この支持構造は、パイプの端部とこの端部を支持する弾性支持部材との間に緩衝材を介在させたものなので、パイプの端部には、緩衝材と弾性支持部材とが二重に接合された状態になっている。このため、パイプの端部に強い衝撃を加えると、これら緩衝材や弾性支持部材を通して衝撃音が床面に響くおそれがある。すなわち、この支持構造は、もともと厚みのある弾性材が折れ曲がることを防止するために、弾性材の厚みを薄くする目的で構成されたものなので、薄くした弾性材がパイプの端部に密着していると、衝撃を吸収する作用が少なくなり、衝撃音などを十分に緩和することが困難になる。
【０００５】
そこで、本考案は、上述の課題を解消すべく案出されたもので、椅子やテーブル等の家具の脚部下端に装着することで、これらの椅子等を移動させたときに生じる衝撃音を吸収して階下等への騒音を防止し、しかも全体に薄く形成することが可能で脚部への装着が容易な家具の脚部用防音具の提供を目的とするものである。
【課題を解決するための手段】
【０００６】
本考案の第１の手段は、家具等の脚部Ｐ下端面に接着し家具等の移動により生じる衝撃音を吸収するように設けられた脚部用防音具において、内部に複数の弾性の突起２を有する合成ゴム製の受皿体１と、該受皿体１の内部に収納され前記突起２上に支持された発泡材からなる防音層３と、該防音層３の上面に設けられた接着層４とで構成したことにある。
【０００７】
第２の手段において、前記防音層３は、上下二層の発泡材からなり、前記受皿体１の内周に設けた係止突条５で該防音層３を係止するように設けると共に、上部の防音層３は、前記受皿体１の開口上部よりも盛り上がるように設けられ、該防音層３の上面に設けられた前記接着層４は、該防音層３が脚部Ｐによって押圧されたときに上部の防音層３と共に受皿体１の内部に収納されるように設けている。
【０００８】
第３の手段は、前記受皿体１はエラストマーゴムで形成され、前記突起２は低反発性ゴムで形成されている。
【０００９】
第４の手段の前記受皿体１は、床面に接触する表面にフッ素コーティング層６が施されたことを課題解消のための手段とする。
【考案の効果】
【００１０】
本考案の請求項１により、内部に複数の弾性の突起２を有する合成ゴム製の受皿体１と、該受皿体１の内部に収納され前記突起２上に支持された発泡材からなる防音層３と、該防音層３の上面に設けられた接着層４とで構成したことにより、受皿体１と突起２と防音層３とが相乗効果を奏し、椅子等を移動させたときに生じる衝撃音、特に脚部Ｐが床に打ち当たるような音を吸収して階下等への騒音を防止することができる。しかも受皿体１を薄く形成することが可能で、接着層４により、あらゆる家具の脚部Ｐに装着することが可能になる。
【００１１】
また、請求項２によると、受皿体１の内周に係止突条５を設け、該係止突条５で上下二層の発泡材からなる前記防音層３を係止することで、より効果的な防音効果が得られるものになる。また、この防音層３は、係止突条５によって係止されるので、受皿体１内に防音層３を確実に保持することができる。
【００１２】
しかも、防音層３の上面に設けられた前記接着層４は、該防音層３が脚部Ｐによって押圧されたときに上部の防音層３と共に受皿体１の内部に収納されるように設けたことで、脚部への装着が容易になり、しかも、接着層４の周囲に埃やゴミ等が付着するのを防止し、清潔な使用が可能になる。
【００１３】
更に、請求項３により、受皿体１はエラストマーゴムで形成され、低反発性ゴムで形成されている突起２を設けているので、この受皿体１自体でも衝撃を効率良く吸収することができる。この結果、受皿体１を薄く形成することが可能になった。
【００１４】
請求項４によると、受皿体１は床面に接触する表面にフッ素コーティング層６が施されているので、家具を水平方向に引いたときに、床面との間に抵抗が極めて少なくなり、家具の滑りを良好にするので、摩擦による家具の騒音を防止することができる。また、受皿体１の底面にフッ素コーティング層６を施すことで、この底面周囲に埃やゴミが付着し難いといった利点もある。
【００１５】
このように本考案によると、椅子やテーブル等の家具の脚部下端に装着することで、これらの椅子等を移動させたときに生じる衝撃音を吸収して階下等への騒音を防止し、しかも全体に薄く形成することが可能で脚部への装着が容易になるなどといった実用上有益な種々の効果を奏するものである。
【考案を実施するための最良の形態】
【００１６】
本考案の最良の形態は、内部に複数の弾性の突起２を有する合成ゴム製の受皿体１と、該受皿体１の内部に収納され前記突起２上に支持された発泡材からなる防音層３と、該防音層３の上面に設けられた接着層４とを設ける。防音層３は、上下二層の発泡材からなり、前記受皿体１の内周に設けた係止突条５で該防音層３を係止するように設ける。上部の防音層３Ｂは、前記受皿体１の開口上部よりも盛り上がるように設けられ、該防音層３の上面に設けられた前記接着層４は、該防音層３が脚部Ｐによって押圧されたときに上部の防音層３と共に受皿体１の内部に収納されるように設ける。受皿体１はエラストマーゴムで形成され、内部に有する前記突起２は低反発性ゴムで形成される。受皿体１に、床面に接触する表面にフッ素コーティング層６が施すことで、当初の目的を達成するものである。
【実施例】
【００１７】
本考案の基本構成は、受皿体１と、防音層３と、接着層４とで構成されており、家具等の脚部Ｐ下端面に接着するものである（図１参照）。
【００１８】
受皿体１は、例えばエラストマーゴム等の合成ゴムにて形成された略碗形状を成した部材で、この受皿体１内部に複数の弾性の突起２を設けている（図２参照）。図４に示す受皿体１は平面円形状を成しているが、図５に示す如く平面矩形状に形成してもよく、受皿体１の形状は任意に変更することができる。そして、この受皿体１で後述する防音層３を収納するものである。また、収納した防音層３を受皿体１内部で係止するために、受皿体１の内周に係止突条５を設けている（図２参照）。
【００１９】
受皿体１内部に配される突起２は、例えばブチルゴム等の低反発性ゴムで形成されている。図示例では、略円柱形状を成した複数個の突起２を同心円状に配した状態を示している。この突起２は、突起自体が衝撃を吸収する作用を有しており、この突起２にて、受皿体１内部に収納する防音層３を支持している。また、図示の突起２は、受皿体１と一体に形成しているが、別体に形成した突起２を受皿体１内に収納してもよい。
【００２０】
防音層３は、受皿体１の内部に収納され、受皿体１内部の突起２上に支持される部材で、発泡材にて形成している。特に、防音層３を、上下二層の発泡材で形成することで、防音効果を高めることができる。実施例では、発泡構造が独立した所謂、単発泡の発泡材と、発泡構造が連続した所謂、連発泡の発泡材を二層に設けたものである。図示例では、下部ウレタン３Ａと上部ウレタン３Ｂとの二層を接着すると共に、係止突条５の下面に下部ウレタン３Ａを配置し、係止突条５の上部に下部ウレタン３Ａを配置している。そして、上部ウレタン３Ｂは、受皿体１の開口上部よりも盛り上がるように設けられ、脚部Ｐからの荷重を受けたときに、この上部ウレタン３Ｂが受皿体１の内部に押し込まれるように設けている（図３参照）。
【００２１】
接着層４は、防音層３の上面、すなわち図示例では上部ウレタン３Ｂの上面に設けられている。この接着層４は、両面テープを使用しているが、他の接着手段に変更することも可能である。両面テープを使用した場合、剥離紙(図示せず)を剥がすのみで、脚部Ｐの底面に簡単に接着することができる。また、この接着層４は、上部ウレタン３Ｂの上面に設けられていることから、脚部Ｐからの荷重を受けたときに、この接着層４が上部ウレタン３Ｂと共に、受皿体１の内部に押し込まれるものである（図３参照）。そうすると、接着層４の周囲縁が受皿体１内部に押し込まれた状態で外部に露出しないので、この周囲縁に埃やゴミ等が付着するのを防止することができる。
【００２２】
本考案の防音効果について実験したところ、次の結果が得られた。この実験によると、重さ6Kgのテーブル脚部Ｐを高さ2cmから床面に落下させたときの落下音は97dbであった。この脚部Ｐに直径28mm、高さ6.5の受皿体１からなる本考案を接着して落下させたところ、落下音は62dbとなり、-35dbもの防音効果が認められた。同様に他の材質を脚部Ｐに接着したときの落下音を測定したところ、一般のフェルトで88db(-9db)、硬質フェルトで85db(-12db)、ゴムキャップでも72db(-25db)であったので、本考案の防音効果が優れていることが証明されている。
【００２３】
尚、図示例の各構成は、本考案の一実施例に過ぎず、受皿体１や突起２、あるいは防音層３や接着層４の形状や材質などは任意に選択できるもので、本考案の要旨を変更しない範囲において自由に変更することができる。
【図面の簡単な説明】
【００２４】
【図１】本考案の一実施例を示す使用斜視図である。
【図２】本考案の一実施例の装着前の状態を示す側断面図である。
【図３】本考案の一実施例の装着後の状態を示す側断面図である。
【図４】本考案の一実施例を示す平面図である。
【図５】本考案の他の実施例を示す平面図である。
【符号の説明】
【００２５】
Ｐ  脚部
１  受皿体
２  突起
３  防音層
３Ａ  下部ウレタン
３Ｂ  上部ウレタン
４  接着層
５  係止突条
６  フッ素コーティング層
【図１】
0003135746.tif 000003
【図２】
0003135746.tif 000004
【図３】
0003135746.tif 000005
【図４】
0003135746.tif 000006
【図５】
0003135746.tif 000007